(57)【要約】      （修正有）【課題】複数のぜんまいを備えてムーブメントの平面寸法を小型化できる時計の提供。【解決手段】時計は、第１香箱真２３、第１ぜんまい、および第１香箱車２２を有する第１香箱２１と、第２香箱真３３、第２ぜんまい、および第２香箱車３２を有し、第１香箱真２３および第２香箱真３３の軸方向から見た平面視で、第１香箱２１と重ならない位置に配置され、第１香箱２１の回転が伝達される第２香箱３１と、第１香箱真２３と一体に回転する歯車の回転が伝達されると第１方向に回転し、第２香箱車３２の回転が伝達されると第１方向とは逆の第２方向に回転する表示真６１１を有し、第１香箱２１および第２香箱３１と平面視で重ならない位置に配置された遊星歯車機構６０と、第１香箱真２３と一体に回転する歯車の回転を遊星歯車機構６０に伝達する複数の歯車を有し、複数の歯車のうちの１つの歯車が第２香箱真３３に軸支されるパワーリザーブ輪列７０とを備える。【選択図】図７
2020128952.tif 000002
【特許請求の範囲】
【請求項１】
第１香箱真、第１ぜんまい、および第１香箱車を有する第１香箱と、
第２香箱真、第２ぜんまい、および第２香箱車を有し、前記第１香箱真および前記第２香箱真の軸方向から見た平面視で、前記第１香箱と重ならない位置に配置され、前記第１香箱の回転が伝達される第２香箱と、
前記第１香箱真と一体に回転する歯車の回転が伝達されると第１方向に回転し、前記第２香箱車の回転が伝達されると前記第１方向とは逆の第２方向に回転する表示真を有し、前記第１香箱および前記第２香箱と前記平面視で重ならない位置に配置された遊星歯車機構と、
前記第１香箱真と一体に回転する歯車の回転を前記遊星歯車機構に伝達する複数の歯車を有し、前記複数の歯車のうちの１つの歯車が前記第２香箱真に軸支されるパワーリザーブ輪列と、
を備える時計。
【請求項２】
請求項１に記載の時計において、
前記遊星歯車機構は、
前記表示真と、前記表示真と一体に回転する第１太陽歯車とを有する第１太陽車と、
前記第１香箱真と一体に回転する歯車の回転が伝達される第２太陽歯車と、前記第２太陽歯車に一体に回転する第２太陽かなとを有し、前記表示真を回転軸とする第２太陽車と、
前記第２香箱車の回転が伝達され、前記表示真を回転軸とする遊星中間車と、
前記遊星中間車の回転軸に対して偏心した回転軸で前記遊星中間車に回転自在に支持され、前記第２太陽かなに噛み合う遊星歯車と、前記第１太陽歯車に噛み合う遊星かなとを有する遊星車と、を備え、
前記パワーリザーブ輪列は、
前記第１香箱真と一体に回転する歯車の回転を、前記第２太陽歯車に伝達する複数の歯車で構成され、前記複数の歯車のうちの１つの歯車が前記第２香箱真に軸支される巻上げ表示輪列と、
前記第２香箱車の回転を、前記遊星中間車に伝達する複数の歯車で構成される巻戻し表示輪列と、
を備える時計。
【請求項３】
請求項１または請求項２に記載の時計において、
前記第２香箱真は、前記歯車以外の他の部品の軸に兼用されている時計。
【請求項４】
請求項１から請求項３のいずれか一項に記載の時計において、
前記第２香箱は、前記第１香箱および前記遊星歯車機構の間に配置される時計。
【請求項５】
請求項１から請求項４のいずれか一項に記載の時計において、
前記パワーリザーブ輪列において、前記第１香箱または前記第２香箱に前記平面視で重なる歯車は、前記平面視で互いに重ならないように配置されている時計。
【請求項６】
請求項１から請求項５のいずれか一項に記載の時計において、
前記第１香箱真および前記第２香箱真を軸支する地板と、
前記地板に対して回動自在に配置される巻真とを備え、
前記第１香箱および前記第２香箱は、前記地板を前記巻真の軸方向に沿って前記平面視で仮想的に２分割した領域の一方の領域に配置されている時計。
【請求項７】
請求項６に記載の時計において、
前記第２香箱車によって回転される輪列と、
前記輪列によって駆動されて誘起電力を発生し電気エネルギーを出力する発電機と、
前記輪列に取り付けられた指針と、を備え、
前記発電機は、前記地板を前記巻真の軸方向に沿って前記平面視で仮想的に２分割した領域の他方の領域に配置されている時計。
【発明の詳細な説明】
【技術分野】
【０００１】
本発明は、複数の香箱を有する時計に関する。
【背景技術】
【０００２】
特許文献１には、複数のバレルシステムと、パワーリザーブインジケーターとを備える機械式計時器用ムーブメントが開示されている。この機械式計時器用ムーブメントは、バレルシステムの巻き出力および巻き緩め出力にそれぞれ接続される差動ギアを有する。差動ギアは、冠状体と、冠状体と同軸であるシャシー車と、太陽ピニオンとを有する。パワーリザーブインジケーターは、太陽ピニオンと、太陽ピニオンのアーバーに固定された針とを有して構成される。
【先行技術文献】
【特許文献】
【０００３】
【特許文献１】特開２０１８−９６９７６号公報
【発明の概要】
【発明が解決しようとする課題】
【０００４】
特許文献１では、太陽ピニオンを有する差動ギアは、バレルシステムの軸方向から見た平面視で、バレルシステムに重なって配置されている。バレルシステムおよび差動ギアは、ムーブメントの部品の中では厚さ寸法が大きな部品であり、ムーブメントの厚さ寸法が増加する。
一方、ムーブメントの厚さ寸法を増加させないように、差動ギアをバレルシステムと平面視で重ならない位置に配置した場合、バレルシステムと差動ギアとの間の歯車もバレルシステムと平面視で重ならない位置に配置しなければならず、ムーブメントの平面寸法が増大する。
【課題を解決するための手段】
【０００５】
本開示の時計は、第１香箱真、第１ぜんまい、および第１香箱車を有する第１香箱と、第２香箱真、第２ぜんまい、および第２香箱車を有し、前記第１香箱真および前記第２香箱真の軸方向から見た平面視で、前記第１香箱と重ならない位置に配置され、前記第１香箱の回転が伝達される第２香箱と、前記第１香箱真と一体に回転する歯車の回転が伝達されると第１方向に回転し、前記第２香箱車の回転が伝達されると前記第１方向とは逆の第２方向に回転する表示真を有し、前記第１香箱および前記第２香箱と前記平面視で重ならない位置に配置された遊星歯車機構と、前記第１香箱真と一体に回転する歯車の回転を前記遊星歯車機構に伝達する複数の歯車を有し、前記複数の歯車のうちの１つの歯車が前記第２香箱真に軸支されるパワーリザーブ輪列と、を備える。
【０００６】
本開示の時計において、前記遊星歯車機構は、前記表示真と、前記表示真と一体に回転する第１太陽歯車とを有する第１太陽車と、前記第１香箱真と一体に回転する歯車の回転が伝達される第２太陽歯車と、前記第２太陽歯車に一体に回転する第２太陽かなとを有し、前記表示真を回転軸とする第２太陽車と、前記第２香箱車の回転が伝達され、前記表示真を回転軸とする遊星中間車と、前記遊星中間車の回転軸に対して偏心した回転軸で前記遊星中間車に回転自在に支持され、前記第２太陽かなに噛み合う遊星歯車と、前記第１太陽歯車に噛み合う遊星かなとを有する遊星車と、を備え、前記パワーリザーブ輪列は、前記第１香箱真と一体に回転する歯車の回転を、前記第２太陽歯車に伝達する複数の歯車で構成され、前記複数の歯車のうちの１つの歯車が前記第２香箱真に軸支される巻上げ表示輪列と、前記第２香箱車の回転を、前記遊星中間車に伝達する複数の歯車で構成される巻戻し表示輪列と、を備えることが好ましい。
【０００７】
本開示の時計において、前記第２香箱真は、前記歯車以外の他の部品の軸に兼用されていることが好ましい。
【０００８】
本開示の時計において、前記第２香箱は、前記第１香箱および前記遊星歯車機構の間に配置されることが好ましい。
【０００９】
本開示の時計において、前記パワーリザーブ輪列において、前記第１香箱または前記第２香箱に前記平面視で重なる歯車は、前記平面視で互いに重ならないように配置されていることが好ましい。
【００１０】
本開示の時計において、前記第１香箱真および前記第２香箱真を軸支する地板と、前記地板に対して回動自在に配置される巻真とを備え、前記第１香箱および前記第２香箱は、前記地板を前記巻真の軸方向に沿って前記平面視で仮想的に２分割した領域の一方の領域に配置されていることが好ましい。
【００１１】
本開示の時計において、前記第２香箱車によって回転される輪列と、前記輪列によって駆動されて誘起電力を発生し電気エネルギーを出力する発電機と、前記輪列に取り付けられた指針と、を備え、前記発電機は、前記地板を前記巻真の軸方向に沿って前記平面視で仮想的に２分割した領域の他方の領域に配置されていることが好ましい。
【図面の簡単な説明】
【００１２】
【図１】実施形態の時計を示す正面図である。
【図２】実施形態の時計のムーブメントの要部を示す平面図である。
【図３】実施形態の時計のムーブメントの要部を示す断面図である。
【図４】実施形態の時計のムーブメントの要部を示す断面図である。
【図５】実施形態の時計のムーブメントの要部を示す平面図である。
【図６】実施形態の時計のムーブメントの要部を示す斜視図である。
【図７】実施形態の時計のムーブメントの要部を示す斜視図である。
【図８】実施形態の時計のムーブメントの要部を示す平面図である。
【図９】変形例の時計のムーブメントの要部を示す平面図である。
【発明を実施するための形態】
【００１３】
［実施形態］
以下、実施形態に係る時計１を図１〜８に基づいて説明する。
図１は、時計１を示す正面図である。時計１は、ユーザーの手首に装着される腕時計であり、円筒状の外装ケース２を備え、外装ケース２の内周側に、文字板３が配置されている。外装ケース２の二つの開口のうち、表面側の開口は、カバーガラスで塞がれており、裏面側の開口は裏蓋で塞がれている。
【００１４】
時計１は、外装ケース２内に収容された図２に示すムーブメント１０と、図１に示す時刻情報を表示する時針４Ａ、分針４Ｂ、秒針４Ｃと、持続時間を指示するパワーリザーブ針５とを備えている。文字板３には、カレンダー小窓３Ａが設けられており、カレンダー小窓３Ａから、日車６が視認可能となっている。また、文字板３には、時刻を指示するためのアワーマーク３Ｂと、パワーリザーブ針５で持続時間を指示する扇形のサブダイヤル３Ｃとが設けられている。
【００１５】
外装ケース２の側面には、りゅうず７が設けられている。りゅうず７は、時計１の中心に向かって押し込まれた０段位置から１段位置および２段位置に引き出されて移動することができる。
りゅうず７を０段位置で回転すると、後述するように、ムーブメント１０に設けた第１ぜんまい２０および第２ぜんまい３０を巻き上げることができる。第１ぜんまい２０および第２ぜんまい３０の巻上げに連動して、パワーリザーブ針５が移動する。本実施形態の時計１は、第１ぜんまい２０および第２ぜんまい３０をフルに巻き上げた場合に、約４０時間の持続時間を確保できる。
りゅうず７を１段位置に引いて回転すると、日車６を移動して日付を合わせることができる。りゅうず７を２段位置に引くと秒針４Ｃが停止し、２段位置でりゅうず７を回転すると、時針４Ａ、分針４Ｂが移動して時刻を合わせることができる。りゅうず７による日車６や時針４Ａ、分針４Ｂの修正方法は、従来の機械時計と同様であるため説明を省略する。
【００１６】
［ムーブメント］
次に、ムーブメント１０について図２〜８を参照して説明する。なお、図２は、ムーブメント１０の要部を裏蓋側から見た平面図であり、図３、図４はムーブメント１０の要部の断面図であり、図５は図２において第１ぜんまい２０、第２ぜんまい３０を削除した平面図である。図６、図７は、ムーブメント１０の要部を示す斜視図であり、図８は、ムーブメント１０の要部を文字板側から見た平面図である。
ムーブメント１０は、図２、３に示すように、第１ぜんまい２０が収納される第１香箱２１および第２ぜんまい３０が収納される第２香箱３１を備える。時針４Ａ、分針４Ｂ、秒針４Ｃおよびパワーリザーブ針５は、後述するように、ムーブメント１０の指針軸に取り付けられ、ムーブメント１０の第１ぜんまい２０および第２ぜんまい３０によって駆動される。
【００１７】
ムーブメント１０は、地板１１、一番受１２、二番受１３、輪列受１４を備えている。地板１１と輪列受１４との間には、第１ぜんまい２０が収納された第１香箱２１と、第２ぜんまい３０が収納された第２香箱３１と、第１ぜんまい２０および第２ぜんまい３０を巻き上げる手動巻上機構４０および自動巻上機構５０とが配置されている。また、地板１１と輪列受１４との間には、第１ぜんまい２０および第２ぜんまい３０の持続時間を示すパワーリザーブ表示機構と、第１ぜんまい２０および第２ぜんまい３０のトルクを伝達する輪列９０と、輪列９０を介して伝達されるトルクで駆動される発電機８０とが配置されている。
【００１８】
［第１ぜんまいおよび第１香箱］
第１ぜんまい２０は、第１香箱２１に収納されている。第１香箱２１は、第１香箱車２２と、第１香箱真２３を備えている。第１香箱真２３には、図６、７にも示すように、第１香箱真２３と一体に回転する第１角穴車２４が取り付けられている。
【００１９】
［手動巻上機構］
手動巻上機構４０は、図２、６、７に示すように、りゅうず７が取り付けられた巻真４１と、つづみ車４２と、きち車４３と、丸穴車４４と、角穴第１伝え車４５と、角穴第２伝え車４６と、角穴第３伝え車４７とを備える。角穴第３伝え車４７は、第１角穴車２４に噛み合っている。
このため、利用者がりゅうず７を０段位置で回転操作すると、巻真４１およびつづみ車４２が回転する。りゅうず７が０段位置の場合、つづみ車４２はきち車４３に噛み合っており、つづみ車４２の回転は、きち車４３から丸穴車４４、角穴第１伝え車４５、角穴第２伝え車４６、角穴第３伝え車４７に順次伝達される。このため、第１角穴車２４および第１香箱真２３が回転し、第１ぜんまい２０が巻き上げられる。
【００２０】
［自動巻上機構］
自動巻上機構５０は、図３に示す回転錘５１と、回転錘５１を回動自在に軸支し、外輪に回転錘５１と一体で回転する歯車を備える図示略のベアリングと、このベアリングの歯車に噛み合う図２に示す偏心車５３と、爪レバー５４と、伝え車５５とを備える。
偏心車５３は、回転錘５１の回動により、正逆両方向に回動する。爪レバー５４は、偏心車５３の回転軸に対して偏心した軸によって、偏心車５３に対して回動自在に取り付けられている。
偏心車５３が回転錘５１に連動して回動すると、偏心車５３に取り付けられた爪レバー５４は、伝え車５５に近づく方向および遠ざかる方向に進退運動し、伝え車５５を一方向に回転する。伝え車５５には、図７に示すように、第１角穴車２４に噛み合う第２伝え車５６が一体に設けられ、第１角穴車２４は、第２伝え車５６の回転に連動して回転する。第１角穴車２４が回転すると、第１香箱真２３が第１角穴車２４と一体で回転し、第１ぜんまい２０が巻き上げられる。
したがって、本実施形態の時計１は、りゅうず７を操作することによる手巻巻上げと、回転錘５１の回動させることによる自動巻上げの両方で、第１ぜんまい２０を巻き上げることができる。
【００２１】
［第２ぜんまいおよび第２香箱］
第２ぜんまい３０は、図３、４に示すように、第２香箱３１に収納されている。第２香箱３１は、第２香箱車３２と、第２香箱真３３を備えている。第２香箱真３３は、第２角穴車３４と一体に回転可能とされている。
第２ぜんまい３０は、第１ぜんまい２０によって巻き上げられる。すなわち、第１ぜんまい２０が巻き上げられて第２ぜんまい３０を巻き上げ可能なトルクが蓄積されると、第１香箱２１の第１香箱車２２が回転する。第１香箱車２２は、香箱中間車２７を介して第２香箱３１の第２角穴車３４に噛み合っており、第１香箱車２２が回転すると、第２角穴車３４および第２香箱真３３が回転し、第２ぜんまい３０が巻き上げられる。
【００２２】
したがって、本実施形態の時計１では、手動巻上機構４０および自動巻上機構５０のいずれによっても第１ぜんまい２０および第２ぜんまい３０を巻き上げることができる。なお、時計１としては、手動巻上機構４０または自動巻上機構５０の一方のみを設けてもよい。
また、第１香箱２１および第２香箱３１は、地板１１を巻真４１の軸方向で仮想的に２分割した２つの領域のうち、一方の領域に配置されている。巻真４１の軸方向は、文字板３の３時および９時のアワーマーク３Ｂを結ぶ方向であり、地板１１は、１２時側と６時側の２つの領域に仮想的に分割される。そして、本実施形態の時計１では、１２時側の領域に第１香箱２１および第２香箱３１を配置している。
【００２３】
［パワーリザーブ表示機構］
時計１は、駆動源である第１ぜんまい２０および第２ぜんまい３０の持続時間を示すパワーリザーブ表示機構を備える。パワーリザーブ表示機構は、遊星歯車機構６０と、パワーリザーブ輪列７０と、図１に示す文字板３上に配置された扇形のサブダイヤル３Ｃと、パワーリザーブ針５とを備える。サブダイヤル３Ｃには、持続時間を示す数字が印字されている。
ここで、図２に示すように、第２香箱３１は、平面視において、第１香箱２１および遊星歯車機構６０の間に配置されている。なお、本実施形態において、平面視とは、第１香箱真２３および第２香箱真３３の軸方向から見た状態を意味し、側面視とは、第１香箱真２３および第２香箱真３３の軸方向に垂直な方向から見た状態を意味する。
【００２４】
パワーリザーブ輪列７０は、図７に示すように、巻上げ表示輪列７１と、巻戻し表示輪列７６とを備える。
巻上げ表示輪列７１は、第１遊星伝え車７２と、香箱遊星伝え車７３と、第２遊星伝え車７４と、第３遊星伝え車７５とを備える。第１遊星伝え車７２は、第１角穴車２４に噛み合っており、第１角穴車２４が手動巻上機構４０または自動巻上機構５０で回転すると、第１角穴車２４、第１遊星伝え車７２、香箱遊星伝え車７３、第２遊星伝え車７４、第３遊星伝え車７５は連動して回転する。第３遊星伝え車７５の回転軸には、図２、３に示すように、遊星歯車機構６０に噛み合うかな７５Ａが設けられている。
第１遊星伝え車７２、第２遊星伝え車７４は、地板１１に固定された軸部材によって回転自在に取り付けられている。第３遊星伝え車７５は、地板１１および二番受１３によって回転自在に軸支されている。香箱遊星伝え車７３は、図３、７に示すように、第２香箱３１の第２香箱真３３に回転自在に軸支されている。
第１遊星伝え車７２、香箱遊星伝え車７３、第２遊星伝え車７４は、第２香箱３１に平面視で重なる位置に配置されている。このため、第１遊星伝え車７２、香箱遊星伝え車７３、第２遊星伝え車７４は、平面視で互いに重ならないように配置されている。
【００２５】
巻戻し表示輪列７６は、図２、３、７に示すように、第四遊星伝え車７７と、第五遊星伝え車７８とを備える。第四遊星伝え車７７は第五遊星伝え車７８に噛み合うかな７７Ａを備え、第五遊星伝え車７８は遊星歯車機構６０に噛み合うかな７８Ａを備える。第四遊星伝え車７７は、第２香箱車３２に噛み合っており、第２香箱車３２が回転すると、第四遊星伝え車７７、第五遊星伝え車７８は連動して回転する。
第四遊星伝え車７７、第五遊星伝え車７８は、地板１１および二番受１３に回転自在に軸支されている。
【００２６】
遊星歯車機構６０は、第１太陽車６１と、第２太陽車６２と、遊星中間車６３と、遊星中間車６３に回転自在に支持された遊星車６４とを備える。
第１太陽車６１は、地板１１などに回転自在に軸支された表示真６１１と、表示真６１１に固定された第１太陽歯車６１２とを備える。表示真６１１には、かな６１３が一体に形成され、このかな６１３に噛み合うとともに、地板１１に揺動自在に軸支されたレバー状の巻印中間車６５を介して回動する巻印車６６にパワーリザーブ針５を取り付けている。すなわち、巻印車６６は地板１１に回動自在に軸支され、巻印車６６の軸は、文字板３を貫通して文字板３の表面に突出し、前記パワーリザーブ針５が取り付けられている。なお、図３に点線で示すように、表示真６１１の裏蓋側端部にパワーリザーブ針５を取り付けてもよい。この場合、パワーリザーブ針５は、裏蓋にガラス等の窓部を設けることで裏蓋側から視認できる。
したがって、パワーリザーブ針５は、第１太陽車６１の回動に連動して回動するように構成されている。
【００２７】
第２太陽車６２は、第２太陽歯車６２１と、第２太陽歯車６２１に固定された第２太陽かな６２２とを備える。第２太陽かな６２２は、表示真６１１に回転自在に軸支され、これにより、第２太陽車６２は第１太陽車６１と同軸で回動自在に配置されている。第２太陽歯車６２１は、第３遊星伝え車７５のかな７５Ａに噛み合っている。
【００２８】
遊星中間車６３は、表示真６１１に回転自在に軸支され、前記第１太陽車６１、第２太陽車６２と同軸とされている。遊星中間車６３の外周には、第五遊星伝え車７８のかな７８Ａに噛み合う歯が形成されている。また、遊星中間車６３の回転軸に対して偏心した位置には、ピン状の回転軸６３２が固定されている。
遊星車６４は、遊星歯車６４１と、遊星歯車６４１に一体に固定された遊星かな６４２とを備え、遊星中間車６３の回転軸６３２に回動自在に軸支されている。
遊星歯車６４１は、第２太陽かな６２２に噛み合い、遊星かな６４２は第１太陽歯車６１２に噛み合っている。
【００２９】
［パワーリザーブ表示機構の動作］
このようなパワーリザーブ表示機構において、第１ぜんまい２０および第２ぜんまい３０の巻上げ時および巻戻し時の動作について説明する。
手動巻上機構４０や自動巻上機構５０によって第１角穴車２４が回転されると、第１香箱真２３が回転して第１ぜんまい２０が巻き上げられる。また、第１香箱真２３の回転に伴い、巻上げ表示輪列７１の第１遊星伝え車７２、香箱遊星伝え車７３、第２遊星伝え車７４、第３遊星伝え車７５が回転し、そのトルクは第２太陽車６２、遊星車６４、第１太陽車６１に伝達される。ここで、第１ぜんまい２０の巻上げ時および第１ぜんまい２０によって第２ぜんまい３０がフルに巻き上げられるまでは、第２香箱３１の第２香箱車３２は回転が遅くほぼ停止状態のため、巻戻し表示輪列７６の第四遊星伝え車７７、第五遊星伝え車７８は停止状態であり、第五遊星伝え車７８のかな７８Ａに噛み合う遊星中間車６３も停止状態である。このため、遊星中間車６３の回転軸６３２に軸支された遊星車６４はその場で回転、つまり自転して第１太陽車６１および表示真６１１を第１方向に回転させる。第１太陽車６１および表示真６１１が第１方向に回転すると巻印中間車６５を介して巻印車６６が回転し、パワーリザーブ針５は時計回り方向つまりサブダイヤル３Ｃで指示する持続時間が増加する方向に回転する。
【００３０】
また、第１ぜんまい２０および第２ぜんまい３０が巻戻るときには、第１角穴車２４および巻上げ表示輪列７１が停止しているため、第２太陽車６２も停止している。そして、第２ぜんまい３０の巻き戻りによって第２香箱車３２が回転されると、そのトルクは巻戻し表示輪列７６の第四遊星伝え車７７、第五遊星伝え車７８を介して遊星中間車６３に伝達される。遊星中間車６３が回転すると、遊星車６４の遊星歯車６４１が噛み合っている第２太陽かな６２２が停止しているため、遊星車６４は第２太陽かな６２２の回りを自転しながら公転する。これにより、遊星車６４に噛合している第１太陽歯車６１２が、第１ぜんまい２０および第２ぜんまい３０の巻上げ操作時とは逆方向である第２方向に回転する。第１太陽歯車６１２が第２方向に回転すると、表示真６１１も第２方向に回転し、巻印中間車６５を介して巻印車６６に伝達され、パワーリザーブ針５が巻上げ操作時とは逆方向である反時計回り方向に回転する。
【００３１】
［発電機］
発電機８０は、図２、７に示すように、ローター８１およびコイルブロック８２、８３を備えて構成される。ローター８１は、ローター磁石８１Ａ、ローターかな８１Ｂ、ローター慣性円板８１Ｃを備えている。ローター慣性円板８１Ｃは、第２香箱車３２からの駆動トルク変動に対しローター８１の回転数変動を少なくする。コイルブロック８２、８３は、各コアにコイルをそれぞれ巻線して構成されたものである。
したがって、発電機８０は、外部からのトルクでローター８１が回転すると、コイルブロック８２、８３によって誘起電力を発生し、電気エネルギーを出力してＩＣ等に供給できる。また、コイルをショートさせることで、ローター８１にブレーキを加えることができ、ブレーキ力を制御することで、ローター８１の回転周期を一定に調速できる。
この発電機８０は、地板１１を１２時側および６時側に２分割した場合に、６時側の領域、つまり第１香箱２１、第２香箱３１が配置される１２側の領域と異なる領域に配置されている。
【００３２】
［輪列］
次に、第１ぜんまい２０および第２ぜんまい３０からの機械的エネルギーによって時針４Ａ、分針４Ｂ、秒針４Ｃを駆動する輪列９０について説明する。
前記輪列９０は、図２、５、６、７にも示すように、二番車９２、三番車９３、四番車９４、五番車９５、六番車９６を備えている。第２香箱車３２の回転は、二番車９２へ伝達された後、三番車９３、四番車９４、五番車９５、六番車９６と順次増速され、ローター８１へと伝達される。
二番車９２には図示しない筒かなを介して分針４Ｂが固定され、四番車９４には秒針４Ｃが固定されている。また、筒かなには図示しない日の裏車を介して図８に示す筒車９７が接続され、この筒車９７に時針４Ａが固定されている。
筒車９７には、日回し中間車９７Ａが取り付けられ、日回し中間車９７Ａで回転される日回し車９８には日車６を回転する日回し爪が取り付けられている。
また、日車６の内歯には、日車６のガタツキを押さえる日ジャンパー９９が係合されている。本実施形態では、日ジャンパー９９は、地板１１に取り付けられた軸部材１００によって揺動可能に取り付けられている。
【００３３】
以上の時計１では、発電機８０からの交流出力は、昇圧整流、全波整流、半波整流、トランジスター整流等からなる整流回路を通して昇圧、整流されて平滑用コンデンサーに充電され、このコンデンサーからの電力で発電機８０の回転周期を制御する図示しない回転制御装置を作動させている。なお、回転制御装置としては、発振回路、分周回路、回転検出回路、回転数比較回路、電磁ブレーキ制御手段等を含む集積回路によって構成され、発振回路には水晶振動子が用いられる。
【００３４】
［実施形態の作用効果］
実施形態の時計１では、第２香箱３１の第２香箱真３３を、巻上げ表示輪列７１の香箱遊星伝え車７３の回転軸として兼用しているので、ムーブメント１０の平面および断面レイアウトを効率化でき、ムーブメント１０を小型化できる。したがって、時計１のデザイン自由度を向上でき、意匠性に優れた時計１を提供できる。
例えば、香箱遊星伝え車７３の回転軸を第２香箱真３３と平面視で重ならない位置に配置する場合、第２香箱真３３と香箱遊星伝え車７３とが干渉しないようにレイアウトする必要があり、ムーブメント１０が大型化する。これに対し、本実施形態の時計１では、第２香箱真３３を香箱遊星伝え車７３の回転軸として利用するため、ムーブメント１０を小型化できる。
【００３５】
ムーブメント１０を第１香箱真２３、第２香箱真３３の軸方向から見た平面視で、第１香箱２１と遊星歯車機構６０との間に第２香箱３１を配置したので、ムーブメント１０の断面レイアウトおよび平面レイアウトを効率化できる。特に、ムーブメント１０において、第１香箱２１、第２香箱３１、遊星歯車機構６０は厚さ寸法が大きな部品であるが、これらの部品を平面視で重ならないように配置できるので、ムーブメント１０の厚さ寸法を抑制できる。
【００３６】
巻上げ表示輪列７１において、第２香箱３１に平面視で重なる第１遊星伝え車７２、香箱遊星伝え車７３、第２遊星伝え車７４は、互いに平面視で重ならないように配置されているので、ムーブメント１０の厚さ寸法をさらに抑制できる。
【００３７】
地板１１を巻真４１の軸方向に沿って２分割した領域のうち一方の領域、具体的には１２時側の領域に第１香箱２１および第２香箱３１を配置しているので、他方の領域、具体的には６時側の領域に、発電機８０を配置することができる。これにより、第１ぜんまい２０、第２ぜんまい３０を駆動源とし、発電機８０で発電した電力で回転制御回路を作動して発電機８０の回転つまり輪列９０の回転速度を高精度に調整し、時針４Ａ、分針４Ｂ、秒針４Ｃを高精度にかつ滑らかに運針できる電子制御式機械時計を提供できる。
【００３８】
時計１は、第１ぜんまい２０および第２ぜんまい３０の２つのぜんまいを備えているので、平面サイズを抑制しながら持続時間の長いムーブメント１０を提供できる。すなわち、ムーブメント１０は、平面中心位置に分針４Ｂが取り付けられる二番車９２や、秒針４Ｃが取り付けられる四番車９４が配置されるため、第１香箱２１、第２香箱３１を配置できるのは、地板１１の平面中心から外周までの範囲となる。したがって、１つのぜんまいで持続時間を長くするには、香箱車の直径も大きくなり、ムーブメント１０の平面サイズも増大する。
これに対し、本実施形態の時計１では、第１ぜんまい２０および第２ぜんまい３０の２つのぜんまいを備えているので、１つのぜんまいで同じ持続時間を確保する場合に比べてムーブメント１０の平面サイズを小さくできる。
さらに、第１ぜんまい２０が収納される第１香箱２１を、文字板３の平面視で１〜２時位置側に設けたので、手動巻上機構４０の近くに配置できる。このため、手動巻上機構４０の歯車数も抑制でき、レイアウトの効率化を図ることができる。
その上、第１香箱２１の直径を第２香箱３１に比べて小さくしているので、その周囲にボタンスイッチを配置することができる。このため、クロノグラフ機能などを有し、ボタン数も増やす必要がある多機能時計を構成する場合にも同じムーブメント１０を利用することができる。
【００３９】
［他の実施形態］
なお、本発明は前述の実施形態に限定されるものではなく、本発明の目的を達成できる範囲での変形、改良等は本発明に含まれるものである。
前記実施形態では、第２香箱３１の第２香箱真３３を、香箱遊星伝え車７３の回転軸として兼用していたが、さらに他の部品の軸として利用してもよい。例えば、図９に示すムーブメント１０Ａでは、第２香箱真３３の文字板側の端部を地板１１から突出させ、第２香箱真３３を香箱遊星伝え車７３の回転軸に加えて、日ジャンパー９９の軸部材に兼用している。このように、第２香箱真３３を、香箱遊星伝え車７３の回転軸および日ジャンパー９９の軸部材に利用すれば、軸部材１００を設ける必要が無く、レイアウトの効率化が図れ、コストも低減できる。
【００４０】
第２香箱３１の第２香箱真３３で軸支する部品は、日ジャンパー９９に限定されず、他の部品でもよい。
また、時計１は、発電機８０および輪列９０を備える電子制御式機械時計に限らず、ガンギ、アンクルなどの一般的な調速機構を備える機械時計でもよく、２つのぜんまい１０、２０を備えた時計であればよい。
【符号の説明】
【００４１】
１…時計、２…外装ケース、３…文字板、３Ａ…カレンダー小窓、３Ｂ…アワーマーク、３Ｃ…サブダイヤル、４Ａ…時針、４Ｂ…分針、４Ｃ…秒針、５…パワーリザーブ針、６…日車、７…りゅうず、１０、１０Ａ…ムーブメント、１１…地板、１２…一番受、１３…二番受、１４…輪列受、２１…第１香箱、２２…第１香箱車、２３…第１香箱真、２４…第１角穴車、２７…香箱中間車、３１…第２香箱、３２…第２香箱車、３３…第２香箱真、３４…第２角穴車、４０…手動巻上機構、４１…巻真、４２…つづみ車、４３…きち車、４４…丸穴車、４５…角穴第１伝え車、４６…角穴第２伝え車、４７…角穴第３伝え車、５０…自動巻上機構、５１…回転錘、５３…偏心車、５４…爪レバー、５５…伝え車、５６…第２伝え車、６０…遊星歯車機構、６１…第１太陽車、６２…第２太陽車、６３…遊星中間車、６４…遊星車、６５…巻印中間車、６６…巻印車、７０…パワーリザーブ輪列、７１…巻上げ表示輪列、７２…第１遊星伝え車、７３…香箱遊星伝え車、７４…第２遊星伝え車、７５…第３遊星伝え車、７５Ａ…かな、７６…巻戻し表示輪列、７７…第四遊星伝え車、７７Ａ…かな、７８…第五遊星伝え車、７８Ａ…かな、８０…発電機、８１…ローター、８１Ａ…ローター磁石、８１Ｂ…ローターかな、８１Ｃ…ローター慣性円板、８２、８３…コイルブロック、９０…輪列、９２…二番車、９３…三番車、９４…四番車、９５…五番車、９６…六番車、９７…筒車、９７Ａ…中間車、９８…日回し車、９９…日ジャンパー、１００…軸部材、６１１…表示真、６１２…第１太陽歯車、６１３…かな、６２１…第２太陽歯車、６２２…第２太陽かな、６３２…回転軸、６４１…遊星歯車、６４２…遊星かな。
【図１】
2020128952.tif 000003
【図２】
2020128952.tif 000004
【図３】
2020128952.tif 000005
【図４】
2020128952.tif 000006
【図５】
2020128952.tif 000007
【図６】
2020128952.tif 000008
【図７】
2020128952.tif 000009
【図８】
2020128952.tif 000010
【図９】
2020128952.tif 000011